(57)【特許請求の範囲】
【請求項１】
紙幣計数機であって；
紙幣を移送できるようにベルト形状に形成したベルト移送機構と、上記ベルト移送機構の上側に紙幣を積層装填できるように形成した紙幣装填部２１０と、上記ベルト移送機構によって供給された紙幣を計数する紙幣計数部と、上記紙幣計数部により供給された紙幣を積置する排出積置部４００と、外部から操作信号の入力を受け、上記各構成の動作を制御する計数制御部５００と、上記各構成を受容し、ボックス形態に形成された計数枠体２００とで構成され、
上記ベルト移送機構は、紙幣と接触して移送動作をする移送ベルト１１０と、上記移送ベルト１１０の一側を巻取回動できるように移送駆動モータ１２３と、電動結束された移送巻取ホイール部１２１と、移送ベルト１１０の他側を巻取支持するアイドル巻取ホイール部１２２と、移送ベルト１１０の前方上面で転がり接触になり、紙幣移送過程において一枚の紙幣のみが移送されるようにする移送制限ローラ１３０とで構成され、
上記移送ベルト１１０は、外面に積層装填された紙幣との摩擦を最小化できるように、長手方向に連続して突出形成した紙幣移送突起１１１と、積層装填された紙幣を一枚ずつ幅方向に溝を形成した噛込み溝部１１２とで構成され、
移送制限ローラ１３０は、紙幣移送突起１１１の溝に凹入噛込みできるように噛込み突起部１３１を形成したことを特徴とする、
ベルト型紙幣計数機。
【請求項２】
上記紙幣装填部２１０には、装填された紙幣が一定量以下である場合、これを感知できるようにした紙幣装填感知機構２１１を備え、
上記紙幣計数部は、ベルト移送機構によって移送された紙幣の移送開始を光透過信号により感知する移送開始感知部３１０と、ベルト移送機構によって移送される紙幣の端部が排出積置部４００へ移送完了したことを光透過信号により感知する移送完了感知部３２０とで構成され、
上記排出積置部４００の側面計数枠体２００には、排出積置部４００の点検のための点検ドア４１０を備え、上記排出積置部４００の前方排出部側には、排出積置部４００を密閉し、排出される紙幣１０によって開放される排出ドア４２０を備えることを特徴とする、
請求項１に記載のベルト型紙幣計数機。
【請求項３】
上記計数制御部５００の制御による紙幣計数の完了時、排出積置部４００に積置された紙幣を排出させることができるように排出装置を備え、
上記排出装置は、排出積置部４００の両側に備えられ、積置された紙幣１０に排出力を加えることができるように、２つ以上の加圧ローラ７３１に巻かれて備えられた排出ベルト７１１と、上記排出ベルト７１１を巻き取った２つの加圧ローラ７３１のうちいずれか一つの加圧ローラ７３１と電動結束して回動させる排出駆動モータ７２０と、上記排出ベルト７１１と紙幣１０との間に摩擦力が発生するように、排出ベルト７１１の上部で積置された紙幣１０の上部を加圧する排出加圧機構７３１と、上記排出加圧機構７３１及びリンク結束し、計数制御部５００の制御に従って排出加圧機構７３１を昇降動作させる加圧昇降アクチュエータ７３２と、紙幣の排出完了を感知できるように、排出積置部４００の排出口側に光センサで構成される排出感知器７４１とで構成され、
上記排出加圧機構７３１は、計数枠体２００に垂直に備えられ、昇降をガイドする昇降ガイド７３４と、加圧昇降アクチュエータ７３２によって排出加圧機構７３１により昇降動作されるようにする連結リンク７３３とで構成されることを特徴とする、
請求項１に記載のベルト型紙幣計数機。
【請求項４】
複数枚の紙幣１０が共に供給されまたは偽造紙幣が供給される場合、上記紙幣計数部で検出され入力される光透過信号が、計数制御部５００に記録された紙幣１０の光透過信号と一致するか否かの判断に従い、計数不良であると判定されたときは、計数制御部５００の制御により排出ベルト７１１を逆回転動作させ、これを回収できるように上記排出積置部４００の下部に計数不良回収函６１０を備え、
さらに上記排出積置部４００の後方側に発光センサと受光センサとからなる回収感知部７４２を備えることを特徴とする、
請求項３に記載のベルト型紙幣計数機。
【請求項５】
ベルト移送機構の移送ベルト１１０によって移送され、排出積置部４００へ傾斜排出される紙幣１０が円滑に排出できるように、放射状に形成された排出翼を含む排出ブレード７５１を備え、排出ブレード７５１は移送巻取ホイール部１２１の下部中央と噛み合った排出噛合いローラ７５２の両側に備えられ、移送巻取ホイール部１２１の下部と接することを特徴とする、
請求項１ないし請求項３のうちのいずれか一項に記載のベルト型紙幣計数機。
【請求項６】
上記排出積置部４００には、ベルト移送機構によって傾斜するように排出される紙幣が浮くこと、または連続供給される他の紙幣によって折れることを防止できるように、上端が排出積置部４００の上部にヒンジ結合し、また下端は紙幣の排出方向に延長突出し、自重によって排出積置部４００の底と接するように構成された紙幣加圧機構７６１を備えることを特徴とする、
請求項１ないし請求項３のうちのいずれか一項に記載のベルト型紙幣計数機。
【請求項７】
上記排出積置部４００に初期排出された紙幣が、排出ベルト７１１の計数不良回収函６１０側の移送方向に挟み込まないように、排出積置部４００に排出積置される紙幣１０の下部を弾性支持する紙幣弾性支持機構７６２を備え、
上記紙幣弾性支持機構７６２は、一端が排出積置部４００の底に結束し、紙幣排出方向に上向き傾斜するように突出形成されることを特徴とする、
請求項１ないし請求項３のうちのいずれか一項に記載のベルト型紙幣計数機。
【発明の詳細な説明】
【技術分野】
【０００１】
本発明は、ベルト型紙幣計数機に関し、より詳細には、紙幣計数機において、紙幣の移送がベルト移送機構によって移送されるように構成することにより、大量の紙幣を装填計数することができるようにするとともに、その計数を明確にすることを目的とするものである。
【背景技術】
【０００２】
一般に、紙幣計数機は、紙幣及び商品券のような有価証券を自動で計数し、その数量を迅速かつ明確に計数できるようにするものであって、あらゆる銀行で使用されている。
【０００３】
上記のような従来の紙幣計数機は、紙幣を横長に装填し、計数溝が形成されたホイールを回転させ、紙幣が一枚ずつ供給されるようにして紙幣を計数できるように構成している。
【０００４】
しかし、上述したような従来の紙幣計数機は、計数しようとする紙幣を横にして装填するように構成されており、その装填される紙幣の数量に制限がある問題があった。
【０００５】
また、従来の紙幣計数機は、紙幣の積置構造と、計数中にエラーが生じたとき、機械の動作が停止するように構成されており、自動販売機のような自動化機器に適用するには容易でない問題があった。
【発明の概要】
【発明が解決しようとする課題】
【０００６】
そこで、本発明は、上述したように、従来の紙幣計数機において紙幣の装填数量に制限があるという問題点と、自動販売機などに適用して実施することができないという問題点とを解決できるようにしたものである。
【課題を解決するための手段】
【０００７】
即ち、本発明は、紙幣計数機において、紙幣を多段に積層装填する紙幣装填部を形成し、その下部に積層装填された紙幣を移送するベルト移送機構を備えて構成している。
【発明の効果】
【０００８】
従って、本発明は、紙幣を装填計数することができ、多量の紙幣計数が可能であり、その計数のための移送がベルト移送機構によって行われ、その移送が明確に行われ、自動販売機のような自動化機器に適用可能なものである。
【図面の簡単な説明】
【０００９】
【図１】本発明による一実施例を示す主要構成斜視図である。
【図２】本発明による一実施例を示す斜視図である。
【図３】本発明による一実施例を示す側面主要構成図である。
【図４】本発明による計数制御部の主要構成図である。
【図５】本発明による実施において、排出ブレードを備えていることを示す主要構成図である。
【図６】本発明による実施において、排出ブレードを備えていることを示す主要構成図である。
【図７】本発明による実施において、紙幣加圧機構を備えていることを示す主要構成図である。
【図８】本発明による実施において、紙幣弾性支持機構を備えていることを示す主要構成図である。
【図９】本発明による実施において、排出加圧機構の動作状態を示す側面主要構成図である。
【図１０】本発明による実施において、排出積置部の紙幣排出過程を示す主要構成図である。
【図１１】本発明による実施において、排出積置部の紙幣回収過程を示す主要構成図である。
【発明を実施するための形態】
【００１０】
以下、添付された図面に基づいて詳細に説明すれば、次の通りである。
【００１１】
本発明は、紙幣計数機を構成するにおいて、多量に装填計数するとともに、ベルト移送によって明確な移送を可能にしたものである。
【００１２】
即ち、本発明は、図１、図２及び図３に示されているように、紙幣計数機において、紙幣を移送できるようにベルト形状に形成したベルト移送機構と、上記ベルト移送機構の上側に紙幣を積層装填できるように形成した紙幣装填部２１０と、上記ベルト移送機構によって供給された紙幣を計数する紙幣計数部と、上記紙幣計数部により供給された紙幣を積置する排出積置部４００と、外部から操作信号の入力を受け、上記各構成の動作を制御する計数制御部５００、及び上記各構成を受容し、ボックス形態に形成された計数枠体２００とで構成されたものである。
【００１３】
ここで、上記ベルト移送機構は、図１と図３に示されているように、紙幣と接触して移送動作をする移送ベルト１１０と、上記移送ベルト１１０の一側を巻取回動できるように移送駆動モータ１２３と電動結束された移送巻取ホイール部１２１と、移送ベルト１１０の他側を巻取支持するアイドル巻取ホイール部１２２と、移送ベルト１１０の前方上面で転がり接触になり、紙幣移送過程において一枚の紙幣のみが移送されるようにする移送制限ローラ１３０とで構成されている。
【００１４】
上記移送ベルト１１０は、外面に積層装填された紙幣との摩擦を最小化できるように、長手方向に連続して突出形成した紙幣移送突起１１１と、積層装填された紙幣を一枚ずつ幅方向に溝を形成した噛込み溝部１１２とで構成し、移送制限ローラ１３０は、紙幣移送突起１１１の溝に凹入噛込みできるように噛込み突起部１３１を形成したものである。
【００１５】
また、上記紙幣装填部２１０には、図３に示されているように、装填された紙幣が一定量以下である場合、これを感知できるようにした紙幣装填感知機構２１１を備えて実施できるものである。
【００１６】
また、上記紙幣計数部は、図４に示されているように、ベルト移送機構によって移送された紙幣の移送開始を光透過信号により感知する移送開始感知部３１０と、ベルト移送機構によって移送される紙幣の端部が排出積置部４００へ移送完了したことを光透過信号により感知する移送完了感知部３２０とで構成したものであり、上記移送開始感知部３１０と移送完了感知部３２０とは、対向するように備えられる発光センサと受光センサとで構成される通常の光センサで構成される。
【００１７】
また、上記排出積置部４００の側面計数枠体２００には、図３に示されているように、排出積置部４００の点検のための点検ドア４１０を備え、上記排出積置部４００の前方排出部側には、排出積置部４００を密閉し、排出される紙幣１０によって開放される排出ドア４２０を備えて実施できる。
【００１８】
また、本発明の実施において、計数制御部５００の制御による紙幣計数の完了時、排出積置部４００に積置された紙幣を排出させることができるように排出装置を備えて実施できるものであって、図１及び図３に示されているように、上記排出装置は、排出積置部４００の両側に備えられ、積置された紙幣１０に排出力を加えることができるように、２つ以上の加圧ローラ７３１に巻かれて備えられた排出ベルト７１１と、上記排出ベルト７１１を巻き取った２つの加圧ローラ７３１のうちいずれか一つの加圧ローラ７３１と電動結束して回動させる排出駆動モータ７２０と、上記排出ベルト７１１と紙幣１０の摩擦力が発生するように、排出ベルト７１１の上部で積置された紙幣１０の上部を加圧する排出加圧機構７３１と、上記排出加圧機構７３１とリンク結束し、計数制御部５００の制御に従って排出加圧機構７３１を昇降動作させる加圧昇降アクチュエータ７３２と、紙幣の排出完了を感知できるように、排出積置部４００の排出口側に光センサで構成される排出感知器７４１とで構成して実施できる。
【００１９】
一方、上記排出加圧機構７３１は、計数枠体２００に垂直に備えられ、昇降をガイドする昇降ガイド７３４と、加圧昇降アクチュエータ７３２によって排出加圧機構７３１により昇降動作されるようにする連結リンク７３３とで構成される。
【００２０】
また、本発明の実施において、図３及び図４に示されているように、複数枚の紙幣１０が共に供給されるか、または偽造紙幣が供給される場合、上記紙幣計数部で検出され入力される光透過信号が、計数制御部５００に記録された紙幣１０の光透過信号と一致するか否かの判断に従い、計数不良であると判定されたときは、計数制御部５００の制御により排出ベルト７１１を逆回転動作させ、これを回収できるように上記排出積置部４００の下部に計数不良回収函６１０を備え、また、上記排出積置部４００の後方側に発光センサと受光センサとからなる回収感知部７４２を備えて実施できる。
【００２１】
また、本発明の実施において、図５及び図６に示されているように、ベルト移送機構の移送ベルト１１０によって移送され、排出積置部４００へ傾斜排出される紙幣１０が円滑に排出できるように、排出翼を放射状に形成し、移送巻取ホイール部１２１とアイドル巻取ホイール部１２２に、紙幣排出側の巻取ホイール部の下部と接するように備えられた排出ブレード７５１を両側に備えて実施できるものであり、上記排出ブレード７５１は、図６に示されているように、排出側の巻取ホイール部の下部中央と噛み合った排出噛合いローラ７５２の両側に軸結合し、一体に回転するように構成している。
【００２２】
また、本発明の実施において、図７に示されているように、排出積置部４００には、ベルト移送機構によって傾斜するように排出される紙幣が浮くか、または連続供給される他の紙幣によって折れるのを防止できるように、上端が排出積置部４００の上部にヒンジ結合し、また下端は紙幣の排出方向に延長突出し、自重によって排出積置部４００の底と接するように構成された紙幣加圧機構７６１を備えて実施できる。
【００２３】
一方、図８に示されているように、上記排出積置部４００に初期排出された紙幣が、排出ベルト７１１の計数不良回収函６１０側の移送方向に挟み込まないように、排出積置部４００に排出積置される紙幣１０の下部を弾性支持する紙幣弾性支持機構７６２を備えており、上記紙幣弾性支持機構７６２は、一端が排出積置部４００の底に結束し、紙幣排出方向に上向き傾斜するように突出形成される。
【００２４】
以下、本発明の動作過程について説明すれば次の通りである。
上記のように、紙幣計数機において、紙幣を移送できるようにベルト形状に形成したベルト移送機構と、上記ベルト移送機構の上側に紙幣を積層装填できるように形成した紙幣装填部２１０と、上記ベルト移送機構によって供給された紙幣を計数する紙幣計数部と、上記紙幣計数部により供給された紙幣を積置する排出積置部４００と、上記各構成の動作を制御する計数制御部５００、及び上記各構成を受容し、ボックス形態に形成された計数枠体２００とで構成された本発明を適用して実施すれば、図９及び図１０に示されているように、紙幣１０が積層装填によって多量の紙幣１０を一度に計数することができ、自動販売機のような自動化機器に装着して用いることができる。
【００２５】
また、紙幣１０を透過する光透過信号に応じて紙幣１０の多重計数感知と偽造紙幣の感知が可能になる。
【００２６】
また、計数不良回収装置を備えて実施すれば、図１１に示されているように、計数不良時にこれを回収し、紙幣計数作業を続けて実施することができる。
【００２７】
また、上記のように排出装置が備えられており、紙幣計数の完了後、計数された紙幣が自動で排出積置部４００から外部へと排出されるようになる。
【００２８】
また、上記ベルト移送機構によって排出積置部４００に排出される紙幣１０が円滑に排出できるように、紙幣排出側の巻取ホイール部の下部両側とそれぞれ噛み合う排出ブレード７５１を備えて実施すれば、ベルト移送機構によって排出される紙幣１０が、上記排出ブレード７５１によって排出力が増大し、排出積置部４００への排出が円滑に行われる。
【００２９】
また、上記排出積置部４００に紙幣加圧機構７６１を備えて実施すれば、ベルト移送機構によって排出積置部４００へ排出された紙幣１０は、自重によって上下稼働する紙幣加圧機構７６１によって安定して押さえられることにより、排出された紙幣１０が折畳まれるのを防止できる。
【００３０】
また、上記排出積置部４００に紙幣弾性支持機構７６２を備えて実施すれば、初期に排出される紙幣１０は、紙幣弾性支持機構７６２によって下面が支持され、排出ベルト７１１に挟み込まずに円滑に排出積置が行われる。
【産業上の利用可能性】
【００３１】
従って、本発明は、紙幣を装填計数することができ、多量の紙幣計数が可能であり、また、その計数のための移送がベルト移送機構によって行われるため、その移送が明確に行われ、自動販売機のような自動化機器に適用可能である。
【００３２】
そして、光センサによって紙幣を計数する紙幣計数部を備えることにより、紙幣の多重計数感知と偽造紙幣の感知をすることができる。
【００３３】
また、本発明の他の実施例でのように、計数不良回収装置を備えることにより、計数不良時にこれを回収し、紙幣計数作業を続けて実施することができる。
【００３４】
また、本発明の他の実施例でのように、排出装置を備えることにより、紙幣計数の完了後、計数された紙幣が自動で利用者に供給されるようになる。
【００３５】
また、上記ベルト移送機構の紙幣排出側の巻取ホイール部の下部両側とそれぞれ噛み合う排出ブレードを備えることにより、ベルト移送機構によって排出される紙幣の排出力が増大し、排出積置部への排出が円滑になされる。
【００３６】
また、上記排出積置部に紙幣加圧機構を備えることにより、排出積置部へ排出される紙幣は、自重により上下稼働する紙幣加圧機構によって安定して押さえられ、排出された紙幣が折畳まれるのを防止できる。
【００３７】
また、上記排出積置部に紙幣弾性支持機構を備えることにより、初期に排出される紙幣の下面が弾性支持されて積置され、排出ベルトに挟み込まずに円滑に排出積置される。
【符号の説明】
【００３８】
紙幣、計数、機器、ベルト、自動販売機
【図１】
0005411259.tif 000002
【図２】
0005411259.tif 000003
【図３】
0005411259.tif 000004
【図４】
0005411259.tif 000005
【図５】
0005411259.tif 000006
【図６】
0005411259.tif 000007
【図７】
0005411259.tif 000008
【図８】
0005411259.tif 000009
【図９】
0005411259.tif 000010
【図１０】
0005411259.tif 000011
【図１１】
0005411259.tif 000012